(57)【要約】【課題】  詳細かつ柔軟な撮影制限を容易に実施する。【解決手段】  展示物ＥＸが展示されている展示施設ＥＦ内では、撮影許可となっている展示物ＥＸ付近に、２次元バーコードで構成された識別情報ＢＣが配置される。デジタルカメラ１００で展示物ＥＸを撮影すると、識別情報ＢＣも写り込む。識別情報ＢＣをデコードすることで得られるコードと、所定の保存条件とが対応付けられた情報が、予めデジタルカメラ１００に設定されている。デジタルカメラ１００は、撮影画像から識別情報ＢＣを検出すると、デコードしてコードを取得する。コードの取得成否、および、取得されたコードに基づいて、デジタルカメラ１００は、撮影した展示物ＥＸの撮影許否を判定し、判定結果に応じて、撮影画像の保存もしくは削除を実行する。【選択図】  図１
2005260596.tif 000002
【特許請求の範囲】
【請求項１】
撮影対象付近に設けられる所定の識別情報と、
入射光をデジタルデータに変換して画像データを取得するデジタルカメラと、から構成される撮影システムであって、
前記デジタルカメラは、
取得した画像データから前記所定の識別情報を検出する識別情報検出手段と、
前記識別情報検出手段が検出した識別情報を認識する識別情報認識手段と、
前記識別情報検出手段による前記識別情報の検出有無、および、前記識別情報認識手段による認識結果に基づいて、前記画像データの保存許否を判定する判定手段と、
前記判定手段の判定結果に基づいて、前記画像データを保存または削除する保存制御手段と、
前記識別情報認識手段による認識結果に基づいて、前記保存制御手段によって保存される画像データに所定の画像処理を適用する画像処理手段と、
を備えることを特徴とする撮影システム。
【請求項２】
入射光をデジタルデータに変換して画像データを取得するデジタルカメラであって、
取得した画像データに所定の識別情報が示されているか否かを検出する識別情報検出手段と、
前記識別情報検出手段が前記所定の識別情報を検出した場合、当該識別情報を認識する識別情報認識手段と、
前記識別情報検出手段による前記識別情報の検出有無、および、前記識別情報認識手段による認識結果に基づいて、前記画像データが保存対象であるか否かを判定する保存許否判定手段と、
前記保存許否判定手段の判定結果に基づいて、前記画像データを保存または削除する保存制御手段と、
を備えることを特徴とするデジタルカメラ。
【請求項３】
前記保存許否判定手段は、前記識別情報検出手段が所定の識別情報を検出しなかった場合、当該画像データは保存対象ではないと判定し、
前記保存制御手段は、前記保存許否判定手段が保存対象ではないと判定した画像データを削除する、
ことを特徴とする請求項２に記載のデジタルカメラ。
【請求項４】
前記保存許否判定手段は、前記識別情報認識手段が検出された識別情報を認識した場合、当該画像データは保存対象ではないと判定する、
ことを特徴とする請求項２または３に記載のデジタルカメラ。
【請求項５】
前記保存許否判定手段は、前記識別情報認識手段による前記識別情報の認識成否に応じて、当該画像データの保存許否を判定するとともに、保存する画像データに適用する所定の画像処理を決定する、
ことを特徴とする請求項２乃至４のいずれか１項に記載のデジタルカメラ。
【請求項６】
前記保存許否判定手段による判定結果に応じて、前記画像データに所定の画像処理を適用する画像処理手段をさらに備える、
ことを特徴とする請求項２乃至５のいずれか１項に記載のデジタルカメラ。
【請求項７】
前記所定の識別情報と、画像データの保存条件とを対応付けて記憶する条件記憶手段をさらに備え、
前記保存許否判定手段は、前記識別情報認識手段による認識結果と前記条件記憶手段に記憶された保存条件とに基づいて、前記画像データの保存許否および適用する画像処理を決定する、
ことを特徴とする請求項２乃至６のいずれか１項に記載のデジタルカメラ。
【請求項８】
前記条件記憶手段は、前記所定の識別情報のサイズに応じて、該識別情報と画像データの保存条件とを対応付けて記憶する、
ことを特徴とする請求項７に記載のデジタルカメラ。
【請求項９】
前記識別情報は、所定のコードが不可視的に設定された画像から構成され、
前記識別情報認識手段は、検出された識別情報をデコードすることで、当該識別情報を認識する、
ことを特徴とする請求項２乃至８のいずれか１項に記載のデジタルカメラ。
【請求項１０】
所定のパスワードを設定するパスワード設定手段をさらに備え、
前記保存許否判定手段は、前記識別情報認識手段による認識結果と、前記パスワード設定手段が設定したパスワードとに基づいて、前記画像データの保存許否を判定する、
ことを特徴とする請求項２乃至９のいずれか１項に記載のデジタルカメラ。
【請求項１１】
入射光をデジタルデータに変換して画像データを取得するデジタルカメラを制御するコンピュータに、
所定の識別情報と取得される画像データの保存条件とを予め対応付けて記憶するステップと、
取得した画像データから所定の識別情報を検出するステップと、
検出された識別情報を認識するステップと、
検出された識別情報の認識結果、および、記憶されている保存条件に基づいて、前記画像データの保存許否を判定するステップと、
保存許否の判定結果に基づいて、前記画像データを保存または削除するステップと、
検出された識別情報の認識結果に基づいて、前記保存される画像データに所定の画像処理を適用するステップと、
を実行させることを特徴とするプログラム。
【発明の詳細な説明】
【技術分野】
【０００１】
本発明は、撮影システム等に関し、特に、撮影制限に好適な撮影システム、デジタルカメラ、および、プログラムに関する。
【背景技術】
【０００２】
小型で高性能なデジタルカメラを安価に入手できるようになったことから、多くの人が手軽にデジタルカメラを携行するようになってきている。これに伴い、多くの場面で撮影をおこなう機会が増えてきているが、撮影が禁止されている場所も多く存在する。
【０００３】
例えば、美術館や博物館などといった展示施設においては、展示物の保護や著作権の問題などにより、撮影禁止となっている場合が多い。このような場所において撮影を禁止させるには、従来、注意書きなどの警告表示や口頭による注意などで来場者に告知することで、来場者に撮影の自粛を促していた。しかしながら、この方法は、来場者のモラルに依存するものであるため、中には、隠れて撮影をおこなう者なども存在し、撮影禁止の徹底を効果的に実現することはできなかった。
【０００４】
このような不都合を解消するため、所定の制限区域内でのカメラの動作を自動的に制御する技術（例えば、特許文献１）なども提案されている。しかしながら、特許文献１に開示される手法では、制限区域内での無線送受信によりカメラの動作を制御しているため、制限区域が一律に設定されてしまうという問題があった。すなわち、同じ施設内の所定区域毎に撮影許否を設定したり、展示物などの撮影対象毎に撮影許否を設定することができなかった。
【特許文献１】特開２００３−２３３１１１号公報
【発明の開示】
【発明が解決しようとする課題】
【０００５】
本発明は上記実状に鑑みてなされたもので、詳細かつ柔軟な撮影制限を容易に実施することができる撮影システム、デジタルカメラ、および、プログラムを提供することを目的とする。
【課題を解決するための手段】
【０００６】
上記目的を達成するため、本発明の第１の観点に係る撮影システムは、
撮影対象付近に設けられる所定の識別情報と、
入射光をデジタルデータに変換して画像データを取得するデジタルカメラと、から構成される撮影システムであって、
前記デジタルカメラは、
取得した画像データから前記所定の識別情報を検出する識別情報検出手段と、
前記識別情報検出手段が検出した識別情報を認識する識別情報認識手段と、
前記識別情報検出手段による前記識別情報の検出有無、および、前記識別情報認識手段による認識結果に基づいて、前記画像データの保存許否を判定する判定手段と、
前記判定手段の判定結果に基づいて、前記画像データを保存または削除する保存制御手段と、
前記識別情報認識手段による認識結果に基づいて、前記保存制御手段によって保存される画像データに所定の画像処理を適用する画像処理手段と、
を備えることを特徴とする。
【０００７】
上記目的を達成するため、本発明の第２の観点に係るデジタルカメラは、
入射光をデジタルデータに変換して画像データを取得するデジタルカメラであって、
取得した画像データに所定の識別情報が示されているか否かを検出する識別情報検出手段と、
前記識別情報検出手段が前記所定の識別情報を検出した場合、当該識別情報を認識する識別情報認識手段と、
前記識別情報検出手段による前記識別情報の検出有無、および、前記識別情報認識手段による認識結果に基づいて、前記画像データが保存対象であるか否かを判定する保存許否判定手段と、
前記保存許否判定手段の判定結果に基づいて、前記画像データを保存または削除する保存制御手段と、
を備えることを特徴とする。
【０００８】
上記デジタルカメラにおいて、
前記保存許否判定手段は、前記識別情報検出手段が所定の識別情報を検出しなかった場合、当該画像データは保存対象ではないと判定し、
前記保存制御手段は、前記保存許否判定手段が保存対象ではないと判定した画像データを削除することが望ましい。
【０００９】
上記デジタルカメラにおいて、
前記保存許否判定手段は、前記識別情報認識手段が検出された識別情報を認識した場合、当該画像データは保存対象ではないと判定してもよい。
【００１０】
上記デジタルカメラにおいて、
前記保存許否判定手段は、前記識別情報認識手段による前記識別情報の認識成否に応じて、当該画像データの保存許否を判定するとともに、保存する画像データに適用する所定の画像処理を決定することが望ましい。
【００１１】
上記デジタルカメラは、
前記保存許否判定手段による判定結果に応じて、前記画像データに所定の画像処理を適用する画像処理手段をさらに備えるていることが望ましい。
【００１２】
上記デジタルカメラは、
前記所定の識別情報と、画像データの保存条件とを対応付けて記憶する条件記憶手段をさらに備えていることが望ましく、この場合、
前記保存許否判定手段は、前記識別情報認識手段による認識結果と前記条件記憶手段に記憶された保存条件とに基づいて、前記画像データの保存許否および適用する画像処理を決定することが望ましい。
【００１３】
上記デジタルカメラにおいて、
前記条件記憶手段は、前記所定の識別情報のサイズに応じて、該識別情報と画像データの保存条件とを対応付けて記憶することが望ましい。
【００１４】
上記デジタルカメラにおいて、
前記識別情報は、所定のコードが不可視的に設定された画像から構成され、
前記識別情報認識手段は、検出された識別情報をデコードすることで、当該識別情報を認識するものとすることができる。
【００１５】
上記デジタルカメラは、
所定のパスワードを設定するパスワード設定手段をさらに備えていてもよく、この場合、
前記保存許否判定手段は、前記識別情報認識手段による認識結果と、前記パスワード設定手段が設定したパスワードとに基づいて、前記画像データの保存許否を判定することが望ましい。
【００１６】
上記目的を達成するため、本発明の第３の観点にかかるプログラムは、
入射光をデジタルデータに変換して画像データを取得するデジタルカメラを制御するコンピュータに、
所定の識別情報と取得される画像データの保存条件とを予め対応付けて記憶するステップと、
取得した画像データから所定の識別情報を検出するステップと、
検出された識別情報を認識するステップと、
検出された識別情報の認識結果、および、記憶されている保存条件に基づいて、前記画像データの保存許否を判定するステップと、
保存許否の判定結果に基づいて、前記画像データを保存または削除するステップと、
検出された識別情報の認識結果に基づいて、前記保存される画像データに所定の画像処理を適用するステップと、
を実行させることを特徴とする。
【発明の効果】
【００１７】
本発明によれば、対象付近に配置された識別情報を撮影画像から検出し、検出の有無や識別情報の認識結果に基づいて撮影画像の保存許否や画像品質を制御するので、詳細かつ柔軟な撮影制限を容易に実施することができる。
【発明を実施するための最良の形態】
【００１８】
（実施形態１）
本発明にかかる実施形態を、以下図面を参照して説明する。本実施形態では、ＣＣＤ（Charge Coupled Device：電荷結合素子）などの撮像素子を用いて画像データを取得するデジタルカメラ（撮像装置）による撮影を、撮影対象（被写体）毎に制限する。ここで、本実施形態では、美術館や博物館などの展示施設における展示物を撮影対象とし、これらの撮影制限をおこなう場合を例に以下説明する。
【００１９】
すなわち、本実施形態では、図１に示すように、展示施設ＥＦ内に展示されている展示物ＥＸを来場者がデジタルカメラ１００で撮影する場合を想定する。この場合、展示施設ＥＦ内での撮影には、本実施形態にかかるデジタルカメラ１００のみが使用許可されるものとする。したがって、展示施設ＥＦがデジタルカメラ１００を来場者に貸与する、もしくは、本実施形態にかかるデジタルカメラ１００と同等の機能を有するデジタルカメラの持ち込みを許可する運用とする。
【００２０】
ここで、展示施設ＥＦにおいては、展示物ＥＸ毎に撮影の許否を設定する。本実施形態では、撮影を許可する展示物ＥＸ付近に所定の識別情報ＢＣを配置する。この識別情報ＢＣは、例えば、図２に示すような２次元バーコードから構成される。すなわち、識別情報ＢＣは、所定の法則により配置された画像パターンから構成されるものであり、所定の情報（コード）が不可視的に設定されている画像情報である。設定されているコードは、デコードなどの所定の認識動作により取得することができる。識別情報ＢＣとしてこのような２次元バーコードを採用するのは、デジタルカメラ１００で撮影した画像中に示される識別情報ＢＣを画像認識する場合に、例えば、文字認識などと比べ、画像の内容にかかわわず認識成功率が安定しているためである。ここで、２次元バーコードの認識成功率は、２次元バーコードのサイズと比例する。したがって、本実施形態にかかる識別情報ＢＣは、所望する認識精度を得ることができるサイズの２次元バーコードで構成されるものとする。
【００２１】
このような識別情報ＢＣは、デジタルカメラ１００で展示物ＥＸを撮影した際に、その展示物ＥＸと一緒に写り込むような位置に配置される。展示物ＥＸが、例えば、絵画や写真などといった、壁面に掲示して展示する形態である場合、図３（ａ）に示すように、当該展示物ＥＸが掲示されている壁面と同一の壁面上に識別情報ＢＣを配置する。この場合、どのような撮影アングルからでも識別情報ＢＣが写り込むように、例えば、展示物ＥＸの周囲に複数の識別情報ＢＣを配置してもよい（図３（ｂ））。また、展示物ＥＸが額装されているような場合には、図３（ｃ）に示すように、額のガラス面などに識別情報ＢＣを配置してもよい。
【００２２】
また、展示物ＥＸが、例えば、彫刻やオブジェなどの立体物である場合には、図４（ａ）に示すように、当該展示物ＥＸの近傍に識別情報ＢＣを配置できる他、図４（ｂ）に示すように、当該展示物ＥＸの背後の壁面などに識別情報ＢＣを配置してもよい。
【００２３】
また、識別情報ＢＣを配置する際には、撮影した画像から検出しやすいよう、識別情報ＢＣとのコントラストが高くなる背景色とすることが望ましい。例えば、識別情報ＢＣの画像パターンを黒色とする場合には、白色もしくはそれに近い明度となる色彩の壁面などに配置することが望ましい。
【００２４】
本実施形態では、展示施設ＥＦにおいてデジタルカメラ１００で展示物ＥＸを撮影した場合に、撮影された画像に含まれる識別情報ＢＣを検出・識別し、その結果に応じて、撮影した画像の記録許否をおこなう。したがって、展示施設ＥＦに配置される識別情報ＢＣとデジタルカメラ１００が、展示物ＥＸの撮影許否を制御する撮影システムとして機能する（図１）。
【００２５】
このような撮影システム１に用いられるデジタルカメラ１００の構成を図５、図６を参照して説明する。図５は本実施形態にかかるデジタルカメラ１００のシステム構成（内部構成）を示すブロック図であり、図６はデジタルカメラ１００の外観例を示す図（図６（ａ）は正面図、図６（ｂ）は背面図）である。図示するように、本実施形態にかかるデジタルカメラ１００は、制御部１１０と、撮像部１２０と、入力部１３０、出力部１４０と、画像記録部１５０と、記憶部１６０と、を備える。
【００２６】
制御部１１０は、例えば、ＣＰＵ（Central Processing Unit：中央演算処理装置）などから構成され、デジタルカメラ１００の各部を制御する。ここで、制御部１１０は、記憶部１６０に格納された動作プログラムを実行することで後述する各処理が実現される。なお、制御部１１０は、動作時に必要なデータや動作プログラムなどを展開（ロード）するための記憶領域を備えているものとする。この記憶領域（以下「ワークエリア」とする）は、例えば、レジスタやキャッシュメモリ、および、ＲＡＭ（Random Access Memory）などから構成される。
【００２７】
撮像部１２０は、制御部１１０の制御によって撮像動作をおこなうものであり、本実施形態では、図５に示すように、レンズユニット１２１、測距・測光部１２２、撮像素子１２３、などを備える。
【００２８】
レンズユニット１２１は、レンズ群や絞り羽根などから構成される光学的部材や、光学的部材を駆動する駆動部などから構成される。駆動部は、制御部１１０の制御により光学的部材を駆動する。例えば、設定された絞り（Ｆ値）となるよう絞り羽根を駆動する。また、レンズユニット１２１がＡＦ（Auto Focus：オートフォーカス）機能を備えている場合は、撮影対象に合焦するよう光学的部材を駆動し、ズーム機能を備えている場合には、ユーザのズーム操作に応じて光学的部材を駆動する。
【００２９】
測距・測光部１２２は、例えば、赤外線照射部、受光部、距離センサ、光センサなどから構成され、デジタルカメラ１００から撮影対象（被写体）までの距離や光量（ＥＶ値）などを測定する。
【００３０】
撮像素子１２３は、例えば、ＣＣＤ（Charge Coupled Device：電荷結合素子）などから構成され、レンズユニット１２１を介して入光した可視光（入射光）を光電変換により電荷に変換して蓄積する。ここで撮像素子１２３は、所定のＡＤ変換回路などを備えるものとし、蓄積された電荷量に基づいてデジタルデータに変換する。すなわち、変換されたデジタルデータは、入射光から得られる「画像データ」を構成することとなる。
【００３１】
入力部１３０は、ユーザによって操作される部材から構成され、ユーザからの指示を受け付ける。入力部１３０は、操作に応じた所定の信号を制御部１１０に送出することで、ユーザの指示を制御部１１０に入力する。本実施形態では、入力部１３０は、少なくとも、シャッタボタン１３１と操作入力部１３２とを備える。
【００３２】
シャッタボタン１３１は、ユーザによる押下に応じて上下方向に可動するボタンなどから構成され、ユーザに押下されることによって、撮影開始などを指示する信号（以下、「シャッタ信号」とする）を制御部１１０に送出する。なお、シャッタボタン１３１は、いわゆる「半押し」状態と「全押し」状態の２つの状態に応じて異なる信号を制御部１１０に送出するものとする。ここで「半押し」とはシャッタボタン１３１の可動ストロークの半ばまで押された状態をいい、「全押し」とはシャッタボタン１３１が完全に押し込まれた状態をいうものとする。
【００３３】
通常のカメラと同様、本実施形態にかかるデジタルカメラ１００においても、「半押し」で測距・測光やピント合わせ（合焦）など（以下、「撮像準備動作」とする）をおこない、「全押し」で撮像・記録（以下、「撮像動作」とする）をおこなう。したがって、シャッタボタン１３１が半押しされたときには、その旨を示すシャッタ信号（以下、「半押し信号」とする）が制御部１１０に送出され、制御部１１０はこれに応じて合焦動作の開始などを実行する。また、シャッタボタン１３１が全押しされたときには、その旨を示すシャッタ信号（以下、「全押し信号」とする）が制御部１１０に送出され、制御部１１０は撮像・記録動作の開始などを実行する。すなわち、制御部１１０は、シャッタボタン１３１から送出された信号の受信を契機に撮像のための各動作を開始する。
【００３４】
操作入力部１３２は、例えば、所定の操作ボタンやダイヤル、カーソルキー、などから構成され、ユーザの操作により、種々の設定を変更する指示などが入力される。本実施形態においては、撮影モードをはじめとする各種モードの変更・設定に用いられる。
【００３５】
出力部１４０は、種々の情報を出力するものであり、画像情報を出力する表示部１４１などから構成される。表示部１４１は、例えば、液晶表示装置などから構成され、画像情報を表示出力する。本実施形態では、撮像素子１２３によって得られた画像や画像記録部１５０に記録された画像を表示する他、設定変更をおこなうためのメニュー画面などを表示する。なお、表示部１４１がタッチパネルなどから構成される場合には、操作入力部１３２と同等の入力装置として機能させてもよい。
【００３６】
画像記録部１５０は、例えば、フラッシュメモリなどの記憶装置から構成され、撮像素子１２３のＡＤ変換回路によって変換されたデジタルデータを記録することで、撮像部１２０の撮像動作によって得られた画像データを保存する。画像記録部１５０は、デジタルカメラ１００内に固定的に構成されてもよい他、例えば、メモリカードなどの形態で着脱可能に構成されてもよい。また、画像記録部１５０は、撮像素子１２３によって得られた画像データを一時的に保持する記憶領域（以下、「バッファ１５１」とする）を有しているものとする。バッファ１５１は、デジタルカメラ１００内に固定的に構成されるフラッシュメモリやＲＡＭ（Random Access Memory）などから構成されるものとする。なお、バッファ１５１は制御部１１０のワークエリアと共用であってもよい。
【００３７】
記憶部１６０は、例えば、ＲＯＭ（Read Only Memory）やフラッシュメモリなどの記憶装置から構成され、制御部１１０が実行するプログラムや、各処理に必要なデータ（以下、「処理データ」とする）などを記憶する。ここでは、撮像準備動作および撮像動作のための各種制御を実行するプログラム（以下、「撮像プログラム」とする）の他、本実施形態では、展示物ＥＸ画像に示される文字の判読可否を判定して通知するためのプログラムが格納される。より詳細には、以下のようなプログラムが格納される。
（Ｐ１）「識別情報検出プログラム」：バッファ１５１に保持された画像データから識別情報ＢＣを検出するためのプログラム
（Ｐ２）「識別情報認識プログラム」：検出された識別情報ＢＣをデコードして、設定されているコードを認識するためのプログラム
（Ｐ３）「保存許否判定プログラム」：識別情報ＢＣの検出有無、および、検出された識別情報ＢＣの認識結果に基づいて撮影画像の保存許否を判定するためのプログラム
（Ｐ４）「保存制御プログラム」：保存許否の判定結果に応じて、バッファ１５１の画像データを保存、もしくは、削除するためのプログラム
【００３８】
このようなプログラムを実行することなどにより、制御部１１０は以下のような機能を実現する。
（Ｆ１）「撮像機能」：撮像部１２０を動作させ、レンズユニット１２１から入光した入射光に基づく画像データを取得する機能
（Ｆ２）「識別情報検出機能」：バッファ１５１に格納された画像データから、識別情報ＢＣを検出する機能
（Ｆ３）「識別情報認識機能」：検出された識別情報ＢＣをデコードして、設定されているコードを認識する機能
（Ｆ４）「保存許否判定機能」：識別情報ＢＣの検出有無や認識されたコードに基づいて、画像データの保存について許可もしくは禁止を判定する機能
（Ｆ５）「保存制御機能」：保存許可と判定された画像データを保存し、保存禁止と判定された画像データを削除する機能
【００３９】
なお、本実施形態では、制御部１１０がプログラムを実行することによるソフトウェア処理で上記各機能を実現するが、例えば、これらの各機能をそれぞれ専門的に処理する回路等（いわゆる「ＡＳＩＣ」（Application Specific Integrated Circuit））をデジタルカメラ１００に構成することにより、ハードウェア処理によって上記各機能が実現されてもよい。
【００４０】
また、記憶部１６０には、「処理データ」として、例えば、撮影時の露光量（ＥＶ値）に対する絞り値（Ｆ値）やシャッタスピードの組み合わせなどといった撮影時に必要となる諸設定を示す情報（以下、「撮影パラメータ」という）などが記憶される他、本実施形態では、展示施設ＥＦに配置される識別情報ＢＣを規定するための、図７に示すような、「識別情報テーブル」が記憶される。
【００４１】
図示するように、「識別情報テーブル」には、展示施設ＥＦ内に配置されている各識別情報ＢＣに設定されているコードが記録される。より詳細には、展示物ＥＸ毎に割り当てられる展示物ＩＤ毎にレコードが作成され、各レコードには、当該展示物ＥＸ付近に配置されている識別情報ＢＣに設定されているコードが記録される。
【００４２】
「識別情報テーブル」は、撮影制限をおこなう者によって、記憶部１６０に設定されるものとする。例えば、展示施設ＥＦにて来場者にデジタルカメラ１００を貸与する形態である場合には、当該デジタルカメラ１００の記憶部１６０に予め「識別情報テーブル」が設定された状態で来場者に貸与される。また、本実施形態にかかるデジタルカメラ１００と同等のデジタルカメラの持ち込みを許可している場合には、展示施設ＥＦへの入場時などに、撮影制限をおこなう者が、来場者が持参したデジタルカメラの記憶部に「識別情報テーブル」をインストールする。すなわち、ユーザによる不正操作等を防止するため、「識別情報テーブル」の内容が撮影者（ユーザ）に知られない運用とする。したがって、記憶部１６０は、「識別情報テーブル」へのユーザのアクセスを禁止する仕組みが適用されていることが望ましい。
【００４３】
なお、上記の各構成は、本発明の実施に必要な要部であり、デジタルカメラ１００には、これらの他に、デジタルカメラとして必要な構成や機能、および、その他の付加的な構成や機能が、必要に応じて備えられているものとする。
【００４４】
次に、上記のように構成されたデジタルカメラ１００の動作を図面を参照して以下説明する。後述する各処理は、記憶部１６０に格納されている動作プログラムを制御部１１０が実行することで実現される。
【００４５】
本発明の実施形態１にかかる「撮像処理（１）」を図８に示すフローチャートを参照して説明する。ここでは、展示施設ＥＦからデジタルカメラ１００を提供された来場者が、展示物ＥＸをデジタルカメラ１００で撮影する場合のデジタルカメラ１００の動作を説明する。ここで、デジタルカメラ１００は、撮像動作をおこなうための「撮影モード」に設定されて電源投入されているものとする。この状態では、レンズユニット１２１からの入射光に基づいて撮像素子１２３が光電変換をおこなうことで、レンズユニット１２１からの入射光に応じた画像が表示部１４１に表示される。
【００４６】
ユーザは、表示部１４１に表示されている画像をもとに、デジタルカメラ１００の位置調整やズーム操作などにより、展示物ＥＸを撮影する構図や画角などを決定すると、シャッタボタン１３１を押下（半押し）する。これに応じて、シャッタボタン１３１からは、半押し信号が制御部１１０に送出される。制御部１１０は、シャッタボタン１３１から半押し信号を受信したことを契機に撮影準備動作を開始する（ステップＳ１０１）。
【００４７】
ここでは、測距・測光部１２２による測距・測光動作に基づいて、レンズユニット１２１が駆動されて展示物ＥＸに対するピント合わせ（合焦）などが行われるとともに、適正なシャッタスピードと絞り値（撮影パラメータ）が特定される。なお、ユーザがシャッタボタン１３１を半押し状態にしている間、半押し信号がシャッタボタン１３１から制御部１１０に送出され続けるものとする。
【００４８】
展示物ＥＸに合焦されると、ユーザはシャッタボタン１３１を全押しにすることで、撮影を指示する。これに応じ、シャッタボタン１３１から全押し信号が制御部１１０に送出される。制御部１１０は、シャッタボタン１３１から全押し信号を受信すると、ユーザから撮影指示であると判別し（ステップＳ１０２：Ｙｅｓ）、ステップＳ１０１で特定した絞りとなるようレンズユニット１２１を駆動するとともに、特定されたシャッタスピードに応じて撮像素子１２３を露光させる。これにより、特定された撮影パラメータで撮像が行われ、入射光に対応する画像データ（撮像画像）が取得され、画像記録部１５０のバッファ１５１に格納される（ステップＳ１０３）。
【００４９】
一方、例えば、撮影アングルの変更などのためにユーザがシャッタボタン１３１の半押し状態を解除すると、シャッタボタン１３１からのシャッタ信号が途絶え、これにより制御部１１０は、ユーザからの撮影指示がないと判別して（ステップＳ１０２：Ｎｏ）、処理を終了する。この場合、例えば、次の撮影準備動作を待機する。
【００５０】
撮影指示があった場合、制御部１１０は、バッファ１５１に格納された画像データから識別情報ＢＣを検出する（ステップＳ１０４）。ここでは、背景色と異なる階調で構成される画像部分を認識することなどによって２次元バーコード部分を検出する。
【００５１】
画像データ中に識別情報ＢＣを検出すると（ステップＳ１０４：Ｙｅｓ）、制御部１１０は、検出された識別情報ＢＣをデコードし、当該識別情報ＢＣに設定されているコードを取得し、ワークエリアに保持する（ステップＳ１０５）。すなわち、検出された識別情報ＢＣを認識する。
【００５２】
検出された識別情報ＢＣからコードを取得すると、制御部１１０は、「識別情報テーブル」を参照し、ステップＳ１０５で得られたコードと一致するコードがあるか否かを判別する（ステップＳ１０６）。
【００５３】
一致するコードがある場合（ステップＳ１０６：Ｙｅｓ）、制御部１１０は、バッファ１５１に格納された画像データは「保存対象データ」であると判定し（ステップＳ１０７）、当該画像データを画像記録部１５０に保存して（ステップＳ１０８）、処理を終了する。
【００５４】
一方、バッファ１５１に格納した画像データから識別情報ＢＣが検出されない場合、すなわち、画像データから２次元バーコードが検出されない場合、（ステップＳ１０４：Ｎｏ）、あるいは、検出された識別情報をデコードして取得したコードが「識別情報テーブル」に設定されているコードと一致しない場合（ステップＳ１０６：Ｎｏ）、制御部１１０は、当該画像データは「保存対象データではない」と判定し（ステップＳ１０９）、バッファ１５１に保持している画像データを削除して（ステップＳ１１０）、処理を終了する。この場合、例えば、撮影した展示物ＥＸが撮影禁止である旨や、識別情報ＢＣが写り込むような撮影を促す旨のメッセージなどを表示部１４１に表示させてもよい。
【００５５】
すなわち、上記「撮像処理（１）」によれば、撮影が許可されている展示物ＥＸをデジタルカメラ１００で撮影すると、展示物ＥＸと一緒に識別情報ＢＣが写り込むので、撮影した画像データ中に識別情報ＢＣが示されることになる。したがって、バッファ１５１に格納した画像データから識別情報ＢＣが検出されれば、当該画像データは、撮影が許可されている展示物ＥＸを撮影したことで得られたものであることが判明する。
【００５６】
一方、撮影が許可されていない展示物ＥＸ付近には、識別情報ＢＣが配置されていないので、当該展示物ＥＸを撮影しても、画像データから識別情報ＢＣが検出されない。この場合は、当該画像データが「保存対象ではない」と判定されるので、撮影禁止となっている展示物ＥＸを撮影しても撮影画像が保存されない。すなわち、撮影禁止対象が撮影されないよう撮影制限される。
【００５７】
さらに、展示施設ＥＦ内に配置されている識別情報ＢＣをデコードすることにより得られるコードを予め記憶部１６０の「識別情報テーブル」に格納しておき、画像データから検出された識別情報をデコードして得られるコードと一致する場合に保存許可するので、例えば、正規の識別情報ＢＣ以外の２次元バーコードなどを写り込ませることで、撮影禁止となっている展示物ＥＸを不正に撮影しようとしても、その画像データは「保存対象ではない」と判定されるので、撮影禁止対象が撮影されないよう撮影制限することができる。
【００５８】
また、撮影が許可されている展示物ＥＸであっても、例えば、接写や望遠レンズの使用によって展示物ＥＸをクローズアップで撮影した場合、展示物ＥＸの周辺に配置されている識別情報ＢＣが撮影された画像に写り込まない。このような場合も、「保存対象ではない」と判定されるので、展示物ＥＸの細部までを描写した画像が撮影されることを防止することができる。
【００５９】
さらに、撮影画像に識別情報ＢＣが写り込んでいなければ画像を保存することができないので、識別情報ＢＣの配置の仕方と判定方法によって、撮影される画像の品質も制御することができる。例えば、図３（ｂ）に示すような、展示物ＥＸの周囲に複数の識別情報ＢＣが配置される場合、すべての識別情報ＢＣの検出・認識がされなければ「保存対象である」と判定されないようにする。あるいは、展示物ＥＸから比較的離れた位置に識別情報ＢＣを配置する。このような場合、判定に必要となる識別情報ＢＣを写り込ませるためには、展示物ＥＸから離れて撮影するか、レンズの焦点距離を広角側にして撮影しなければならなくなる。この結果、画像中の展示物ＥＸを示す部分が小さくなり、鮮明度や認識性が低いものとなる。このような方法により、例えば、高品位な撮影画像が得られることにより模倣されたり複製が作成されてしまうおそれのある展示物ＥＸなどについては、撮影を許可しても、画像品質が低くなるように撮影制限することができる。
【００６０】
（実施形態２）
上記実施形態１では、２次元バーコードなどの識別情報ＢＣを用いて、撮影画像の保存許否を判定することで撮影制限をし、識別情報ＢＣの配置の仕方により撮影される画像の品質を制御したが、画像品質の制御を識別情報ＢＣ自体を用いておこなうこともできる。この場合の実施形態を以下に説明する。
【００６１】
本実施形態にかかるデジタルカメラ１００の構成および用語の定義は実施形態１と同一であるが、本実施形態では、識別情報ＢＣとして、一対をなす２種類の２次元バーコードを用いる。ここで、一方は画像の保存許否を判定するための識別情報（以下、「識別情報ＢＣ１」とする）として機能し、他方は保存される撮影画像の画像品質を制御するための識別情報（以下、「識別情報ＢＣ２」とする）として機能する。本実施形態では、撮影許可となっている展示物ＥＸについて、保存される撮影画像の画像品質が任意に設定されるものとする。以下、このように設定される画像品質を「許可レベル」とする。
【００６２】
ここで、識別情報ＢＣ１および識別情報ＢＣ２ともに、実施形態１にかかる識別情報ＢＣと同様に、所定の情報（コード）が不可視的に設定されている２次元バーコードから構成される。本実施形態では、図９に示すように、識別情報ＢＣ１と識別情報ＢＣ２とが一対に配置されるものとする。すなわち、撮影許可となっている展示物ＥＸ付近に、識別情報ＢＣ１と識別情報ＢＣ２が配置される。なお、本実施形態では、撮影画像の画像品質を制御したい展示物ＥＸに識別情報ＢＣ２を配置するものとし、画像品質の制御が不要な展示物ＥＸには識別情報ＢＣ２を配置しないものとする。
【００６３】
また、本実施形態では、対をなす識別情報ＢＣ１と識別情報ＢＣ２のそれぞれに、同一のコードが設定されているものとする。
【００６４】
本実施形態では、後述する処理により、まず識別情報ＢＣ１の検出・認識によって、当該展示物ＥＸの撮影許否（すなわち、撮影画像の保存許否）が判定され、撮影画像の保存が許可された場合に、識別情報ＢＣ２を検出・認識できたか否かによって、保存する画像の画像品質を制御する。ここで、効率的に撮影制限するためには、撮影許否の判定を確実におこなうことが望ましい。
【００６５】
したがって、撮影許否を判定するための識別情報ＢＣ１は比較的高い認識率で認識される必要がある。上述したように、２次元バーコードの認識成功率は２次元バーコードのサイズに比例するため、識別情報ＢＣ１は、必要十分な認識成功率となるようなサイズの２次元バーコードで構成する。この場合、例えば、展示施設ＥＦの規模や来場者と展示物ＥＸとの距離などを考慮して識別情報ＢＣ１のサイズを決定する。
【００６６】
また、本実施形態では、識別情報ＢＣ２が検出されたか否か、もしくは、認識できたか（デコードによりコードを取得できたか）否かによって、保存する撮影画像の画像品質を制御する。ここで、２次元バーコードの認識成功率はサイズに比例するため、レンズの焦点距離や画角などの撮影条件が同じ場合（すなわち、撮影対象の大きさが撮影画像上で同じとなる条件）、２次元バーコードのサイズが小さいほど認識成功率が低くなる。この場合、例えば、近接して撮影したりレンズ焦点距離を望遠側にして撮影することで、撮影画像中の２次元バーコードが大きくなり、認識成功率が高くなる。
【００６７】
したがって、展示物ＥＸ付近に配置する識別情報ＢＣ２のサイズを複数種類用意し、展示物ＥＸ毎の許可レベルに応じてサイズを選択して配置する。そして、このような識別情報ＢＣ２が撮影画像中から認識（デコード）できたか否かを判別することにより、撮影時点での撮影画像の画像品質を判定することができる。すなわち、比較的サイズの小さい識別情報ＢＣ２を認識できる場合は、撮影された展示物ＥＸの詳細まで見ることができる高品位な画像品質であると判定することができ、比較的サイズの大きい識別情報ＢＣ２が認識できない場合は、撮影された展示物ＥＸが鮮明ではない低品位な画像品質であると判定することができる。
【００６８】
このように判定される撮影時の画像品質に応じて、所定の画像処理を適用することにより、展示物ＥＸの許可レベルに応じた画像品質で保存されるよう制御することができる。より詳細には、識別情報ＢＣ２に設定されるコードと画像品質に影響する所定の画像処理とを対応付けることで、識別情報ＢＣ２が認識できた場合に画像処理を実行して画像品質を制御することができる。すなわち、撮影許可された展示物ＥＸの撮影画像を保存する際の条件（保存条件）を設定することができる。
【００６９】
したがって、デジタルカメラ１００の記憶部１６０には、図７（ｂ）に示すような「保存条件テーブル」が用意される。「保存条件テーブル」には、識別情報ＢＣ２に設定されているコード毎にレコードが作成され、各レコードには、当該識別情報ＢＣ２のサイズ、および、識別情報ＢＣ２の認識成否に応じて割り当てられている保存条件が記録される。
【００７０】
本実施形態では、識別情報ＢＣ２に複数種類のサイズを用意し、各展示物ＥＸに設定されている許可レベルに応じたサイズの識別情報ＢＣ２を配置する。すなわち、認識成功率と２次元バーコードのサイズが比例するため、展示物ＥＸ毎に保存条件を個別に設定し、各保存条件応じたサイズの識別情報ＢＣ２を割り当てることで、展示物ＥＸ毎に異なる保存条件を適用することができる。
【００７１】
ここで、図７（ｂ）に示す「保存条件テーブル」の「サイズ」には、各識別情報ＢＣ２の大小関係を示す数値が記録される。図７（ｂ）の例では、識別情報ＢＣ２のサイズを「１」〜「６」の数値で示し、数値が小さいほど識別情報ＢＣ２のサイズが小さく、数値が大きいほど識別情報ＢＣ２のサイズが大きいことを示す。本実施形態では、識別情報ＢＣ２の最大サイズ（図７（ｂ）の例では、サイズ「６」）を、識別情報ＢＣ１のサイズより小さいものとする。すなわち、本実施形態では、保存許否の判定を確実におこなうため、必要十分な認識成功率となるサイズの識別情報ＢＣ１を配置しているため、識別情報ＢＣ１以上のサイズとなる識別情報ＢＣ２を配置した場合、識別情報ＢＣ２も確実に認識されることになり、認識成否による判定ができなくなってしまうからである。
【００７２】
また、「保存条件」として、例えば、「未処理保存を許可」、「画像処理Ｘの後保存許可」、「保存不許可」、などを設定することができる。
【００７３】
「未処理保存を許可」は、撮影された画像になんらの画像処理を加えることなく保存を許可するものであり、画像品質についての制限がないものである。
【００７４】
また、「画像処理Ｘの後保存許可」は、撮影された画像に所定の画像処理を適用することを条件に画像保存を許可するものである。ここで、画像処理Ｘは複数種類の画像処理のうちの任意のものを示し、画像処理の内容は、例えば、撮影画像の画像品質を低下させるものとする。画像処理の例として、例えば、「コントラスト低下」、「ノイズ付加」、「ぼかし（弱）」、「ぼかし（中）」、「ぼかし（強）」などといった、画像の鮮明度や識別性にかかわる画像処理とすることができる。また、画像処理の種類は、画像の鮮明度や識別性への影響の度合に応じて複数種類用意されることが望ましい。これにより、展示物ＥＸ毎に撮影許可レベルを設定し、レベルに応じた画像品質の画像保存のみを許可することができる。なお、上記の画像処理は一例であり、任意の画像処理を設定して適用することができる。
【００７５】
「保存不許可」は、画像の保存を許可しないものであり、最も厳しい条件となる。
【００７６】
また、画像品質の制御を要しない展示物ＥＸには識別情報ＢＣ２を配置していないので、画像データから識別情報ＢＣ２を検出できない場合の保存条件として「未処理保存を許可」を設定するものとする。
【００７７】
このような保存条件とサイズに基づく複数種類の識別情報ＢＣ２の認識成否とを組み合わせることで、詳細かつ柔軟な撮影制限をおこなうことができる。すなわち、図７（ｂ）に示すように、「保存条件テーブル」の項目「保存条件」は、項目「認識」と項目「非認識」に分けられ、各項目毎に保存条件が設定される。ここで、項目「認識」には、当該識別情報ＢＣ２が認識された場合の保存条件が設定され、項目「非認識」には、当該識別情報ＢＣ２が認識できなかった場合の保存条件が設定される。
【００７８】
保存条件は、識別情報ＢＣ２のサイズに応じて設定することで、撮影画像の画像品質を詳細に制御することができる。例えば、最も認識成功率が高いサイズ「６」（最大サイズ）の識別情報ＢＣ２を認識できないということは、ピンボケや焦点距離が広角側となっていることなどにより、撮影画像中の展示物ＥＸの識別性が低いことを示す。したがって、サイズ「６」の識別情報ＢＣ２が認識できない場合には、最も制限の緩い「未処理保存を許可」を保存条件として設定する。一方、最も認識成功率が低いサイズ「１」（最小サイズ）の識別情報ＢＣ２を認識できるということは、近接撮影や焦点距離が望遠側となっていることなどにより、撮影画像中の展示物ＥＸの細部を詳細に見ることができるほどクローズアップで撮影されていることになる。したがって、サイズ「１」の識別情報ＢＣ２を認識できる場合には、最も制限の厳しい「保存不許可」を保存条件として設定する。
【００７９】
以下、所望する許可レベルに応じて、各識別情報ＢＣ２の認識成否毎に保存条件を設定する。そして、展示物ＥＸ毎に設定された許可レベルに応じた識別情報ＢＣ２を配置することで、展示物ＥＸ毎に詳細な撮影制限をおこなうことができる。なお、実施形態１の「識別情報テーブル」の場合と同様、「保存条件テーブル」を設定する際の運用は、「保存条件テーブル」の内容をデジタルカメラ１００のユーザ（撮影者）には知られないようにする。
【００８０】
このような識別情報ＢＣ２が配置された展示施設ＥＦにおいて、展示物ＥＸをデジタルカメラ１００で撮影する場合のデジタルカメラ１００の処理（「撮像処理（２）」）を、図１０に示すフローチャートを参照して説明する。実施形態１の「撮像処理（１）」と同様、デジタルカメラ１００が「撮影モード」に設定されて電源投入されているものとする。この状態では、レンズユニット１２１からの入射光に基づいて撮像素子１２３が光電変換をおこなうことで、レンズユニット１２１からの入射光に応じた画像が表示部１４１に表示される。
【００８１】
ユーザは、表示部１４１に表示されている画像をもとに、デジタルカメラ１００の位置調整やズーム操作などにより、展示物ＥＸを撮影する構図や画角などを決定すると、シャッタボタン１３１を押下（半押し）する。これに応じて、シャッタボタン１３１からは、半押し信号が制御部１１０に送出される。制御部１１０は、シャッタボタン１３１から半押し信号を受信したことを契機に撮影準備動作を開始する（ステップＳ２０１）。
【００８２】
ここでは、測距・測光部１２２による測距・測光動作に基づいて、レンズユニット１２１が駆動されて展示物ＥＸに対するピント合わせ（合焦）などが行われるとともに、適正なシャッタスピードと絞り値（撮影パラメータ）が特定される。なお、ユーザがシャッタボタン１３１を半押し状態にしている間、半押し信号がシャッタボタン１３１から制御部１１０に送出され続けるものとする。
【００８３】
展示物ＥＸに合焦されると、ユーザはシャッタボタン１３１を全押しにすることで、撮影を指示する。これに応じ、シャッタボタン１３１から全押し信号が制御部１１０に送出される。制御部１１０は、シャッタボタン１３１から全押し信号を受信すると、ユーザから撮影指示であると判別し（ステップＳ２０２：Ｙｅｓ）、ステップＳ２０１で特定した絞りとなるようレンズユニット１２１を駆動するとともに、特定されたシャッタスピードに応じて撮像素子１２３を露光させる。これにより、特定された撮影パラメータで撮像が行われ、入射光に対応する画像データ（撮像画像）が取得され、画像記録部１５０のバッファ１５１に格納される（ステップＳ２０３）。
【００８４】
一方、例えば、撮影アングルの変更などのためにユーザがシャッタボタン１３１の半押し状態を解除すると、シャッタボタン１３１からのシャッタ信号が途絶え、これにより制御部１１０は、ユーザからの撮影指示がないと判別して（ステップＳ２０２：Ｎｏ）、処理を終了する。この場合、例えば、次の撮影準備動作を待機する。
【００８５】
撮影指示があった場合、制御部１１０は、バッファ１５１に格納された画像データから識別情報ＢＣ１を検出する（ステップＳ２０４）。ここでは、背景色と異なる階調で構成される画像部分を認識することなどによって２次元バーコード部分を検出する。本実施形態では、サイズの異なる識別情報ＢＣ１と識別情報ＢＣ２とが一対に配置されているので、異なるサイズの２つの２次元バーコードが検出されることとなる。ここでは、識別情報ＢＣ１を対象としているので、検出された２つの２次元バーコードのうち、サイズの大きい方を識別情報ＢＣ１として検出する。
【００８６】
識別情報ＢＣ１を検出すると、制御部１１０は、検出した識別情報ＢＣ１をデコードし、設定されているコードを取得してワークエリアに保持する（ステップＳ２０５）。
【００８７】
次に制御部１１０は、ステップＳ２０４と同様の方法により、バッファ１５１の画像データから識別情報ＢＣ２を検出する（ステップＳ２０６）。
【００８８】
ここで、画像品質の制御を要しない展示物ＥＸには識別情報ＢＣ２を配置していないので、画像データから識別情報ＢＣ２を検出できない場合（ステップＳ２０６：Ｎｏ）、制御部１１０は、「未処理保存を許可」であると判定し（ステップＳ２０７）、判定結果に応じた動作を実行する（ステップＳ２１０）。この場合、バッファ１５１の画像データを画像記録部１５０に保存することで撮影画像を保存する。すなわち、撮影許可された展示物ＥＸの撮影が完了する。
【００８９】
一方、識別情報ＢＣ２が検出された場合（ステップＳ２０６：Ｙｅｓ）、制御部１１０は、検出された識別情報ＢＣ２をデコードすることにより、識別情報ＢＣ２に設定されているコードの取得を試みる。すなわち、制御部１１０は、検出された識別情報ＢＣ２が認識可能か否かを判別する（ステップＳ２０８）。
【００９０】
制御部１１０は、「保存条件テーブル」（図７（ｂ））を参照し、ステップＳ２０６での認識成否に応じた保存条件を判定し（ステップＳ２０９）、判定結果に応じた動作を実行する（ステップＳ２１０）。
【００９１】
より詳細には、ステップＳ２０６で識別情報ＢＣ２が認識できた場合、制御部１１０は、記憶部１６０の「保存条件テーブル」を参照し、デコードにより取得されたコードと一致するコードが記録されているレコードの項目「認識」に設定されている保存条件を判定し（ステップＳ２０９）、判定した保存条件に応じた動作を実行する（ステップＳ２１０）。
【００９２】
一方、ステップＳ２０６で識別情報ＢＣ２が認識できなかった場合、制御部１１０は、「保存条件テーブル」（図７（ｂ））を参照し、ステップＳ２０５で識別情報ＢＣ１をデコードすることで取得したコードが記録されているレコードの項目「非認識」に設定されている内容を保存条件と判定し（ステップＳ２０９）、特定した保存条件に応じた動作を実行する（ステップＳ２１０）。
【００９３】
すなわち、保存条件が「未処理保存を許可」である場合には、制御部１１０はバッファ１５１に格納されている画像データをそのまま画像記録部１５０に保存する。また、保存条件が「画像処理Ｘの後保存許可」である場合、制御部１１０は、バッファ１５１の画像データに指定された画像処理を適用した上で、当該画像データを画像記録部１５０に保存する。すなわち、画像品質を低下させた撮影画像が保存される。また、保存条件が「保存不許可」である場合、制御部１１０は、バッファ１５１の画像データを削除する。すなわち、撮影画像は保存されない。
【００９４】
保存条件に応じた撮影画像の保存もしくは削除が完了すると、制御部１１０は処理を終了する。
【００９５】
本実施形態によれば、識別情報ＢＣ１で保存許可と判定された撮影画像について、写り込んでいる識別情報ＢＣ２に基づく画像品質制御がおこなわれる。この場合、画像品質（保存条件）を識別情報ＢＣ２のサイズによって設定することができるので、撮影制限を実施する者は、撮影対象（展示物ＥＸなど）毎の許可レベルに応じて、所定のサイズの識別情報ＢＣ２を配置するだけでよく、詳細かつ柔軟な撮影制限を容易に実施することができる。
【００９６】
（実施形態３）
上記実施形態２では、一対の識別情報ＢＣ１と識別情報ＢＣ２を用いて、撮影画像の画像品質制御をおこなったが、保存時の画像品質が一律でよい場合には、識別情報ＢＣ１のみを用いて、より容易に実施することができる。
【００９７】
この場合、制御部１１０が、識別情報ＢＣ１を認識できなかった場合に「保存許可」と判定するように動作すればよい。すなわち、確実に認識できるサイズの識別情報ＢＣ１が認識できないということは、ピンボケなどにより撮影時点での画像品質が低いということになる。したがって、このような場合の撮影画像を保存許可とすることで、画像品質の低い撮影画像のみが保存されることになり、撮影画像の画像品質を一律に制限することができる。
【００９８】
この方法によれば、識別情報ＢＣ１の認識成否のみを判別するだけでよく、また、画像品質を低下させるための画像処理を適用する必要もないため、撮影制限を容易に実施することができる。
【００９９】
（実施形態４）
上記各実施形態では、識別情報ＢＣ（ＢＣ１、ＢＣ２も含む。以下同じ）を用いて、展示物ＥＸ毎の撮影許否もしくは撮影画像の画像品質を制御したが、識別情報ＢＣを用いて撮影者（デジタルカメラ１００）を制限することもできる。
【０１００】
この場合、各識別情報ＢＣに設定されるコードをパスワードとする。そして、例えば、撮影制限の対象外とする特定のデジタルカメラ１００に、予め上記パスワードを設定する。ここでは、「識別情報テーブル」や「保存条件テーブル」とは独立して、設定されたパスワードが記憶部１６０などに記憶される。パスワードの設定は、撮影制限を実施する者がおこなうことが望ましい。
【０１０１】
パスワードが設定されたデジタルカメラ１００で展示物ＥＸを撮影した場合、上記各「撮影処理」と同様に、撮影画像から識別情報ＢＣを検出してデコードする。そして、デコードにより取得されたコードと設定されたパスワードとを照合する。照合により、取得されたコードとパスワードが一致した場合、制御部１１０は、バッファ１５１に保持されている画像データをそのまま画像記録部１５０に保存する。すなわち、無条件で撮影画像の保存が許可され、なんらの撮影制限が課せられずに撮影することができる。
【０１０２】
このような方法によれば、例えば、展示施設ＥＦの広報活動などのための撮影や、報道等の取材活動などのための撮影などに用いる特定のデジタルカメラ１００のみにパスワードを設定することで、撮影制限の対象外とすることができる。
【０１０３】
この場合、上記のように一律に撮影制限を解除するのではなく、パスワードが設定されているデジタルカメラ１００と設定されていないデジタルカメラ１００とで異なる保存条件を設定するようにしてもよい。このような方法によれば、配置されている識別情報ＢＣを変更することなく、より詳細かつ柔軟な撮影制限を実施することができる。
【０１０４】
以上説明したように、本発明にかかる実施形態によれば、撮影対象毎の撮影許否を容易におこなうことができる。また、撮影許可する場合には、撮影対象毎に画像品質を規定し、規定された画像品質で保存されるよう撮影制限することができる。すなわち、上記実施形態によれば、詳細かつ柔軟な撮影制限を容易に実施することができる。
【０１０５】
なお、上記実施形態では、展示施設ＥＦに展示される展示物ＥＸを撮影対象（被写体）とした場合を例示したが、撮影対象はこれに限られず任意である。本発明を適用することにより、撮影対象毎に撮影許否を制御して撮影制限を実施できる他、例えば、所定の区域毎に撮影許否を制御してもよい。
【０１０６】
また、動作プログラムの更新により機能の拡張を図ることができるデジタルカメラに上述した各処理を実現するプログラムを適用することで、既存のデジタルカメラを上記実施形態にかかるデジタルカメラ１００として機能させることができる。この場合、上記実施形態にかかる動作プログラムおよび処理データを当該デジタルカメラにインストールし、当該デジタルカメラの制御部が実行する。これにより、上述の各処理が実行され、撮影対象毎に撮影許否を判定することにより、適切に撮影制限することができる。このような動作プログラムを配布する方法は任意であり、例えば、ＣＤ−ＲＯＭやメモリカードなどの記録媒体に格納して配布可能であることはもとより、インターネットなどの通信媒体を介して配布することもできる。
【０１０７】
以上説明したように、本発明を上記実施形態の如く適用することにより、撮影対象付近に配置された識別情報を撮影画像から検出し、検出の有無や識別情報の認識結果に基づいて撮影画像の保存許否や画像品質を制御するので、詳細かつ柔軟な撮影制限を容易に実現することができる
【図面の簡単な説明】
【０１０８】
【図１】本発明の実施形態に係る撮影システムの構成を示す図である。
【図２】図１に示す識別情報として採用される２次元バーコードの例を示す図である。
【図３】図２に示す識別情報（２次元バーコード）の配置例を示す図であり、（ａ）は展示物ＥＸが掲示される壁面上に識別情報が配置される例を示し、（ｂ）は展示物ＥＸの周辺に複数の識別情報を配置する場合の例を示し、（ｃ）は展示物ＥＸが額装されている場合の識別情報の配置例を示す。
【図４】図２に示す識別情報（２次元バーコード）の配置例を示す図であり、（ａ）は展示物ＥＸの近傍に識別情報が配置される例を示し、（ｂ）は展示物ＥＸの背後に識別情報が配置される場合の例を示す。
【図５】本発明の実施形態にかかるデジタルカメラの構成を示すブロック図である。
【図６】本発明の実施形態にかかるデジタルカメラの外観構成を示す図である。
【図７】図６に示す記憶部に記憶される情報の例を示す図であり、（ａ）は本発明の実施形態１で用いられる「識別情報テーブル」の例を示し、（ｂ）は本発明の実施形態２で用いられる「保存条件テーブル」の例を示す。
【図８】本発明の実施形態１にかかる「撮像処理（１）」を説明するためのフローチャートである。
【図９】本発明の実施形態２における識別情報の配置とサイズの例を説明するための図である。
【図１０】本発明の実施形態２にかかる「撮像処理（２）」を説明するためのフローチャートである。
【符号の説明】
【０１０９】
１００…デジタルカメラ、１１０…制御部、１２０…撮像部、１２１…レンズユニット、１２２…測距・測光部、１２３…撮像素子、１３０…入力部、１３１…シャッタボタン、１３２…操作入力部、１４０…出力部、１４１…表示部、１４２…報音部、１４３…インジケータ部、１５０…画像記録部、１６０…記憶部
【図１】
2005260596.tif 000003
【図２】
2005260596.tif 000004
【図３】
2005260596.tif 000005
【図４】
2005260596.tif 000006
【図５】
2005260596.tif 000007
【図６】
2005260596.tif 000008
【図７】
2005260596.tif 000009
【図８】
2005260596.tif 000010
【図９】
2005260596.tif 000011
【図１０】
2005260596.tif 000012